(57)【要約】  【課題】  窃盗行為によって屋内から金庫等堅牢筐体の搬出、移送に至るまでの時間を遅延させることがてき、警備会社や警察等による逮捕またはそれを恐れた窃盗犯が未遂のまま逃亡してしまうようにする新規な金庫等の盗難防止構造を提供する。  【解決手段】  金庫等貴重品保管専用の堅牢筐体を格納する保管室１にあって、出入り口１１近傍に、その開口縦横何れかの寸法を、該堅牢筐体外形各部寸法の何れよりも小さい寸法に減縮設定可能とする位置に通過制限棒４を縦設もしくは横設するようにした金庫等の盗難防止構造である。【選択図】    図１
2005330708.tif 000002
【特許請求の範囲】
【請求項１】
厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の開口縦横何れかの寸法を、当該保管室内に収容した堅牢筐体外形各部寸法の何れよりも小さい寸法に減縮設定可能とする箇所に、通過制限棒を縦設もしくは横設するようにしたことを特徴とする金庫等の盗難防止構造。
【請求項２】
厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の開口縦横何れかの寸法を、当該保管室内に収容した堅牢筐体外形各部寸法の何れよりも小さい寸法に減縮設定可能とする箇所に、通過制限棒を縦設もしくは横設するようにし、堅牢筐体をそのままの構造で保管庫出入り口から外部に搬出不能とするか、搬出に余計な時間を浪するかするようにしたことを特徴とする金庫等の盗難防止構造。
【請求項３】
厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の間口の寸法を、当該保管室内に収容した堅牢筐体外形各部寸法の何れよりも小さい寸法に減縮設定可能とする箇所に該当する床面と、その鉛直上方に位置した天井面との間に直線状の通過制限棒を、掛け渡した状態に縦設するようにしたことを特徴とする金庫等の盗難防止構造。
【請求項４】
厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の間口の寸法を、当該保管室内に収容した堅牢筐体外形各部寸法の何れよりも小さい寸法に減縮設定可能とする箇所に該当する床面と、その鉛直上方に位置した天井面との間に直線状の通過制限棒を、掛け渡した状態に縦設すると共に、該通過制限棒に連なる障害壁面を保管室内の所定幅寸法に渡り、連続形成してなる構造としたことを特徴とする金庫等の盗難防止構造。
【請求項５】
開閉扉が、その室外側表壁面におけるヒンジおよびドアチェック等の干渉の虞れがある外装品類が装着された周縁部位範囲を除く、上下端に渡る開閉遊端側縁およびこれに連続する上下端縁を、閉鎖状態となった際に対応する建具枠の室外側壁面に重なり合い、略隠蔽状とする如く拡大、形成してなる、請求項１ないし４何れか一項記載の金庫等の盗難防止構造。
【請求項６】
開閉扉が、ヒンジ装着側の側壁面に、一個または上下複数個の係止穴を形成し、これら係止穴に夫々対峙するヒンジ固着側の建具縦枠には、該開閉扉を閉鎖した際に各係止穴に遊嵌、装着状となり、閉鎖状態にあるヒンジを破壊された場合にも開閉扉の閉鎖状態を強固に維持可能とする係止凸部を突設、一体化してなるものとした、請求項１ないし４何れか一項記載の金庫等の盗難防止構造。
【請求項７】
保管室が、開閉扉を防犯施錠機構によって閉鎖する建具枠の縦枠に隣接する壁面の所定範囲に、サムターン回しの手口による解錠を防止可能とするに十分な縦、横幅寸法範囲に渡り、補強鉄板を内蔵したものとしてなる、請求項１ないし４何れか一項記載の金庫等の盗難防止構造。
【請求項８】
保管室が、その外部に面する全ての外壁面の肉厚中に、隣接する互いの間隔を、該保管室内に収容される堅牢筐体の外形各部寸法の何れよりも小さな寸法間隔に設定した、複数本の補強棒を柵状に縦設してなるものとした、請求項１ないし４何れか一項記載の金庫等の盗難防止構造。
【請求項９】
保管室が、その外部に面する全ての外壁面の肉厚中に、室内床面から上方の該保管室内に収容される堅牢筐体の外形各部寸法の何れよりも小さい上下寸法となる高さ位置に、補強棒を横設してなるものとした、請求項１ないし４何れか一項記載の金庫等の盗難防止構造。
【請求項１０】
保管室が、その外部に面する全ての外壁面の肉厚中に、室内床面から開閉戸もしくは開閉扉の上端と略同じ高さ位置程度となる上下範囲に渡り、金網またはエキスパンダメタルを張着、内蔵してなるものとした、請求項１ないし４何れか一項記載の金庫等の盗難防止構造。
【発明の詳細な説明】
【技術分野】
【０００１】
この発明は、金庫等の盗難の防止に関連するあらゆる分野をその技術分野とするものであって、盗難防止構造が組み込まれた建築物を建設する分野は勿論のこと、その建築物に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                                      
【背景技術】
【０００２】
（着眼点）
近年、スーパーマーケットや家電量販店等の事務所、あるいはパチンコ店の景品引き換え所や宝くじ売場等の小型店舗に対し、夜間等の人気の無い時間帯を狙って侵入し、室内に保管されている金庫を丸ごと盗み出すという極めて大胆で悪質な手口の犯罪が頻発するようになり、このような被害を未然に防ごうと、警備会社と契約して店舗や事務所等に設置されたセンサーが異常を感知したときに、直ちに警備員が急行できる体制を整えるところが増えている。
【０００３】
ところが、警備会社がセンサーの異常を感知し、即座に警備員を現場に急行させた場合であっても、到着までに要する５ないし２０分の僅かな時間の中に、ドアをバール等で破り、金庫を持ち出して姿を消してしまうという窃盗事件が多発しており、警備体制だけでこうした盗難を完全に防ぐことができず、金庫等を収容する事務所や店舗自体に、合せ硝子を採用した硝子戸やシャッター、鉄格子等の設置を行った上、さらに出入り口のドアには二つ以上の鍵を設置し、窃盗犯が室内に侵入するまでの時間を引き延ばす等、二重、三重の工夫を施すところも出ているが、それでも尚もこのような窃盗事件の発生を回避できない御時世となっている。
【０００４】
（従来の技術）
こうした弊害を解消すべく、例えば特開平６−７８５７１号公報に開示された、金庫本体の底面をフロアに設けたスタッドボルトに内部から固定し、あるいは金庫本体の上面および左右両側面の略中央から、金庫壁面を貫通して内部に固定させた長いロッドを突出させた、「盗難防止用の小型金庫」発明や、特開２００１−２２９４７５号公報の、保管物を収容する筐体の周囲を巻回する巻回物と、この巻回物の異常状態を検知する検知手段と、この検知手段が異常状態を検知したときに発煙体を発火させる発煙体発火手段とを有した「盗難防止装置」発明等が、相次いで開発、提案されている。
【０００５】
しかしながら、前者では、金庫の壁面自体に複数の貫通孔を形成し、その貫通孔に、金属製のスタッドボルトやロッドを嵌合状に接続する構造となるため、火災発生時等に高温となると、金属部分を通じて内部が加熱され、収容された金品に焼失あるいは損傷等の被害を受ける虞れがあり、特に耐火性が重視される金庫には不向きな構造と言わざるを得ないものである。また、後者は、金庫等の筐体に異常を検知して発火する発煙体を装着したものであるが、その構造をよく知らない従業員等が、不用意に金庫を移動させようとした場合にも、発煙してしまう虞れがあり、また、一旦発煙してしまうと収拾がつかず、周辺住民に多大な影響を及ぼす虞れがあるといった欠点を有するものであった。                                    
【特許文献１】（１）特開平６−７８５７１号公報  （２）特開２００１−２２９４７５号公報
【発明の開示】
【発明が解決しようとする課題】
【０００６】
（問題意識）
以上のように、店舗や事務所等に保管されている金庫またはそれに類する貴重品保管専用の筐体等は、基本的に収容された建築物の窓やドアの構造強化と複数の鍵の設置、ならびに警備会社によるセンサー利用の防備によって防犯を行い、その上で金庫自体に室外への搬出や移送の妨げとなる防犯装備を施すことが行われるようになってきたが、防犯や耐火性能が求められる金庫に新たな防犯機能を付加することにより、耐久強度や耐火性能の低下を招いたり、あるいは日常的な金庫の開閉操作を、不用意な発煙を虞れながらの巻回物の脱着作業といった細心の注意を要するものにしてしまう等、防犯の効果と金庫の機能性との両立が困難なものとなっているというのが実情であった。
【０００７】
（発明の目的）
そこで、この発明は、金庫に新たな防犯機能を付加することなく、金庫本来の性能を確保したまま、金庫を収容する事務所や店舗に新たな防犯設備を整えることにより、より確実に窃盗行為の発生から金庫の搬出、逃亡に至るまでの時間を遅延させ、警備会社や警察等が、現場に到着するまでの時間を確保し、逮捕またはそれを恐れた窃盗犯が未遂のまま逃亡してしまうようにすることはできないものかとの判断から、逸速くその開発、研究に着手し、長期に渡る試行錯誤と幾多の試作、実験とを繰り返してきた結果、今回、遂に新規な構造の金庫等の盗難防止構造を実現化することに成功したものであり、以下では、図面に示すこの発明を代表する実施例と共に、その構成を詳述することとする。                                      
【課題を解決するための手段】
【０００８】
（発明の構成）
図面に示すこの発明を代表する実施例からも明確に理解されるように、この発明は、基本的に次のような構成から成り立っている。
即ち、厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の開口縦横何れかの寸法を、当該保管室内に収容した堅牢筐体外形各部寸法の何れよりも小さい寸法に減縮設定可能とする箇所に、通過制限棒を縦設もしくは横設するようにした構成を要旨とする金庫等の盗難防止構造である。
【０００９】
これを換言すると、厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の開口縦横何れかの寸法を、当該保管室内に収容した堅牢筐体外形各部寸法の何れよりも小さい寸法に減縮設定可能とする箇所に、通過制限棒を縦設もしくは横設するようにし、堅牢筐体をそのままの構造で保管庫出入り口から外部に搬出不能とするか、搬出に余計な時間を浪するかするようにした金庫等の盗難防止構造ということができる。
【００１０】
この基本的な構成の金庫等の盗難防止構造を、より具体的なものとして示すと、厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の間口の寸法を、当該保管室内に収容した堅牢筐体外形各部寸法の何れよりも小さい寸法に減縮設定可能とする箇所に該当する床面と、その鉛直上方に位置した天井面との間に直線状の通過制限棒を、掛け渡した状態に縦設するようにした金庫等の盗難防止構造となる。
【００１１】
さらに具体的には、厳重に施錠した金庫等貴重品保管専用の堅牢筐体を格納、保管するため、防犯構造躯体に形成された保管室にあって、防犯施錠機構を備えた開閉戸もしくは開閉扉を有する出入り口の内外側近傍に、該出入り口の間口の寸法を、当該保管室内に収容した堅牢筐体外形各部寸法の何れよりも小さい寸法に減縮設定可能とする箇所に該当する床面と、その鉛直上方に位置した天井面との間に直線状の通過制限棒を、掛け渡した状態に縦設すると共に、該通過制限棒に連なる障害壁面を保管室内の所定幅寸法に渡り、連続形成してなる構造とした金庫等の盗難防止構造ということが可能である。                                
【発明の効果】
【００１２】
以上のとおり、この発明の金庫等の盗難防止構造によれば、保管室の出入り口に金庫等の堅牢筐体の通過を阻止する通過制限棒を設け、さらに必要に応じて開閉扉や保管室壁面等に各種防犯設備を付属して設けた構造としたことにより、堅牢筐体に新たな防犯機能を付加せず、耐火性や耐久強度等の本来の性能を確保したまま、窃盗行為の発生から金庫の搬出、逃亡に至るまでの時間を余計に浪するようにして遅延させ、警備会社や警察等が、現場に到着するまでの時間を確保し、逮捕またはそれを恐れた窃盗犯が未遂のまま逃亡してしまうようにすることができるという秀れた特徴が得られるものである。                              
【発明を実施するための最良の形態】
【００１３】
上記したとおりの構成からなるこの発明の実施に際し、その最良もしくは望ましい形態について説明を加えることにする。
堅牢筐体は、貴重品を収容し、使用者以外の者が通常では開放に至らない程度に厳重に施錠可能であり、バールやハンマー等による打撃や落下、ガス熔断等のあらゆる破壊行為を受けても短時間の中に破壊することが困難であり、収容された貴重品のみを盗み出すことを強固に阻止可能とするという機能を果たすものであり、特に、ハンマー等による５分間程度の短時間の打撃等によって外郭形状が容易に変形してしまわない程度に十分に硬質で堅固なものとしなければならず、何れかの側壁面を保管室の室内壁面や床面、天井面等の骨格材に固着したものとすべきであり、１ないし３人程度の小人数での搬出が困難な程度に比較的大重量物とし、耐火性に秀れたものとするのが望ましく、より具体的には、耐火金庫やそれに準ずる盗難防止構造を有した保管庫等とすることができる。
【００１４】
保管室は、適所に堅牢筐体を格納、保管し、金庫等の堅牢筐体を使用する者が、必要に応じて解錠し、室内に進入することが可能であって、しかも窃盗や悪戯等を目的とする不審者の室内への侵入や、それを目的とする扉や外壁等の破壊を強固に阻止、可能とする機能を果たすものであり、犯罪者の侵入を許してしまった場合にも、堅牢筐体を外へ搬出するまでの時間を遅延可能とする構造としなければならず、開閉扉を防犯施錠機構によって閉鎖する建具枠の縦枠に隣接する壁面の所定範囲に、サムターン回しの手口による解錠を防止可能とするに十分な縦、横幅寸法範囲に渡って補強鉄板を内蔵するようにしたものとし、また、外部に面する全ての外壁面の肉厚中に、隣接する互いの間隔を、該保管室内に収容される堅牢筐体の外形各部寸法の何れよりも小さな寸法間隔に設定した、複数本の補強棒を柵状に縦設したものとすることができ、さらに、外部に面する全ての外壁面の肉厚中に、室内床面から上方の該保管室内に収容される堅牢筐体の外形各部寸法の何れよりも小さい上下寸法となる高さ位置に、補強棒を横設したものとすることが可能であり、さらにまた、外部に面する全ての外壁面の肉厚中に、室内床面から開閉戸もしくは開閉扉の上端と略同じ高さ位置程度となる上下範囲に渡り、金網またはエキスパンダメタルを張着、内蔵したものとすることができ、例えば、宝くじ売場やパチンコ等の景品引き換え所等の外の建物から独立した小売り店舗、または家電量販店やスーパーマーケット等の大型店舗に一体に設置された一室か、あるいは隣接して建設された事務所、あるいはそれらに類似した各種施設の建築物とすることができる。
【００１５】
出入り口は、保管室の適切な配置となる１箇所もしくは複数適所に設けられ、使用者が出入り可能な開閉扉または開閉戸を有し、施錠して不審者の侵入を防止し、解錠によって使用者が自由に出入りできるように管理可能とする機能を果たし、万が一窃盗犯が侵入して保管室内に格納された堅牢筐体を室外へ持ち出そうとしたときには、堅牢筐体が、当該出入り口を通過できない程度の開口寸法に制限され、搬出を妨げて遅延させるものとしなければならず、該出入り口内外側近傍の適所に、通過制限棒を縦設もしくは横設し、出入り口縦横何れかの寸法を、堅牢筐体の外形各部寸法よりも小さく設定したものとすべきであり、使用者の通過の利便性を確保することを考慮すれば、出入り口内外側近傍の適所に、通過制限棒を縦設したものとするのが望ましい。
【００１６】
開閉扉は、堅牢筐体の管理者が保管室へ進入する際には、防犯施錠機構を解放して出入り可能とし、また、保管室内に居て堅牢筐体を解錠する際や、不在となる場合等には、施錠することによって不審者が短時間の中には、容易に解錠あるいは破壊して侵入することができない程度に十分に防犯可能とする機能を果たし、少なくとも２個以上、望ましくは３個以上の施錠機構を設け、ハンマーやバール等の工具類を用いて比較的短時間の中に変形および破壊できない程度に頑強なものとすべきであり、その室外側表壁面におけるヒンジおよびドアチェック等の干渉の虞れがある外装品類が装着された周縁部位範囲を除く、上下端に渡る開閉遊端側縁およびこれに連続する上下端縁を、閉鎖状態となった際に対応する建具枠の室外側壁面に重なり合い、略隠蔽状とする如く拡大、形成したものとすることができる外、ヒンジ装着側の側壁面に、一個または上下複数個の係止穴を形成し、これら係止穴に夫々対峙するヒンジ固着側の建具縦枠には、該開閉扉を閉鎖した際に各係止穴に遊嵌、装着状となり、閉鎖状態にあるヒンジを破壊された場合にも開閉扉の閉鎖状態を強固に維持可能とする係止凸部を突設、一体化したものとすることが可能である。
【００１７】
通過制限棒は、保管室の出入り口の開口縦横何れかの寸法を、使用者の容易な通過を許容すると共に、保管室内に格納、保管された堅牢筐体の外形各部寸法の何れよりも小さい寸法とするよう減縮設定可能とする機能を果たすものであり、出入り口の内外側近傍の適所に、縦設もしくは横設状に頑丈に設置されたものとしなければならず、保管室内に設置する場合には、床面と天井面との間に縦設し、あるいは出入り口を有した壁面を挟んで対峙する内側壁面間に掛け渡し状に横設したものとするのが望ましく、また、保管室の外側に設置する場合には、出入り口外側の近傍適所の地上面に植設し、上端側を補強構造を有した屋根庇下面に結合するか、あるいは上端側を保管室側に向けて折曲し、出入り口上側の保管室外壁面に強固に結合したものとすることが可能であり、開閉扉もしくは開閉戸の建枠自体に両端を結合したものとすることができ、さらに、保管室内外の何れに設けられたかに拘らず、これに連続する障害壁面を形成することができる。
以下では、図面に示すこの発明を代表する実施例と共に、その構造について詳述することとする。                                                                                            
【実施例】
【００１８】
図１の断面化した開閉扉の平面図、図２の断面化した通過制限棒の正面図、および図３の開閉扉の正面図に示される事例は、厳重に施錠した金庫等貴重品保管専用の堅牢筐体を格納、保管するため、防犯構造躯体に形成された保管室１にあって、防犯施錠機構３を備えた開閉扉２を有する出入り口１１の内側近傍に、該出入り口１１の間口寸法を、当該保管室内に収容した堅牢筐体外形各部寸法の何れよりも小さい寸法に減縮設定可能とする箇所に該当する床面１２と、その鉛直上方に位置した天井面１５との間に直線状の通過制限棒４を、掛け渡した状態に縦設するようにしたこの発明に包含される金庫等の盗難防止構造における代表的な一実施例を示すものである。
【００１９】
当該保管室１は、例えば宝くじ販売用の店舗として建築されたものであり、コンクリート基礎上に、複数本の根太を掛け渡して床板を敷設し、堅牢筐体を格納するに適する床面下に対応する、基礎コンクリートの適所から床面を貫通して立ち上げた図示しない複数本のアンカーボルトか、あるいは根太および床面を貫通して鉛直状に立ち上げた複数本のボルトかの何れかに、堅牢筐体の底面を装着し、ナット締めして強固に定着されたものとし、保管室１の周囲壁面中には、堅牢筐体の外形各部寸法の何れよりも小さい間隔毎の配置となる複数本の図示しない鉄骨製の補強棒が、基礎上面から天井付近に到達するよう柵状をなして連なる如く縦設されたものとなり、壁面適所に開口された出入り口１１には、図１および図３中に示すように、開閉扉２を複数のヒンジ２１，２１，２１で開閉自在に装着した建具枠２２が、嵌合状に強固に固着され、同開閉扉２の遊端側略中央付近には、ラッチボルトとデッドボルトとを有するシリンダー錠３１が設けられ、さらにその３００ｍｍ（寸法Ｌ１）程上方に上側補助錠３２、開閉扉２下端から１００ｍｍ（寸法Ｌ２）程上方に下側補助錠３３が配されて防犯施錠機構３が形成されたものとなっている。
【００２０】
開閉扉２は、その内部にスチフナー等の補強構造を設け、特に四隅付近を強化したものとされ、外側面には、比較的肉厚な鋼板からなる外装板２４が熔接等により強固に一体化され、ヒンジ２１，２１，２１が設けられた端縁側となる外側面上方に、ドアチェック２３を設け、該外装板２４のドアチェック２３が設けられた範囲の上端縁およびヒンジ２１，２１，２１が設けられた側の上下に渡る側端縁を除く室外側周縁端２５が、閉鎖した際に建具枠２２の室外側面と重なり合うよう延伸、拡大された形状となっている。
【００２１】
また、開閉扉２のヒンジ２１，２１，２１が装着された側壁面には、上下複数個の係止穴２６，２６，……が形成され、これら係止穴２６，２６，……に夫々対峙するヒンジ固着側の建具縦枠２２に、該開閉扉２を閉鎖したときにのみ各係止穴２６，２６，……に遊嵌状に装着する係止凸部２７，２７，……を熔接によって一体化、突設したものとする一方、開閉扉２の防犯施錠機構３が閉鎖する部分の建具縦枠２２には、図１中に示すように、鋼材製の補強金具２８が上下端間に渡り縦設、内蔵されており、これに隣接する保管室１壁面中には、図３中に示すように、縦寸法が開閉扉２に略一致し、幅が６００ｍｍ前後、厚さが２．３ｍｍ前後の補強鋼板２９を張設したものとし、室内壁面には、図示しない内装パネルを装着し、室外壁面がＡＬＣ（Ａｕｔｏｃｌａｖｅｄ  Ｌｉｇｈｔｗｅｉｇｈｔ  Ｃｏｎｃｒｅｔｅ）やサイディング等により形成されたものとしている。
【００２２】
さらにまた、保管室１は、図５の壁面中にエキスパンダメタルを張着した保管室の正面図に示すように、外部に面する全ての外壁面の肉厚中に、室内床面１２から上方に、図示しない堅牢筐体の外形各部寸法の何れよりも小さい上下寸法となる高さ位置Ｈに、両端を対応する柱材に連結すると共に、中途複数箇所を図示しない間柱か補強棒、その外の壁面骨格部分等に連結してなる補強棒１７を横設し、該補強棒１７の内側もしくは外側となる保管室１の外部に露出する略全周壁面の肉厚中には、床面１２から開閉扉２の上端と略同じ高さ位置程度となる上下範囲に渡り、エキスパンダメタル１８，１８，……を張着、内蔵したものとすることが可能である。
【００２３】
通過制限棒４は、図１および図２中に示すように、保管室１内の出入り口１１近傍、適所の床面１２下に配置された２本の根太もしくは取り付け専用に設けられた２本の木製床下横架材１９，１９を上下から挟み込むよう装着された下側の受け枠体５１と、上側の支持枠体５５とからなる床面金具５を有し、該受け枠体５１は、厚さ２．３ｍｍの略矩形フランジ状に形成し、中央上面に直径約５０ｍｍ前後の短尺円筒型とした肉厚２ｍｍの下端保持リブ５２を突設し、その中央底部には上下肉厚方向に貫通する直径１０ｍｍの分解孔５３を穿設し、外周側となるフランジ形状部分の均衡する複数適所には、夫々取付け孔５４，５４，……を穿孔したものとし、床面１２に床材１３を張り付ける前段階において、該下端保持リブ５２を床下横架材１９，１９間に配置させ、木ネジ７，７，……によって固着したものとする。
【００２４】
また、該支持枠体５５は、受け枠体５１と略同一の平面形状とした略矩形フランジ状に形成し、中央から直径約４３ｍｍ前後、肉厚５ｍｍの円筒上下貫通形状の支持管部５６を鉛直上方に立設し、その外周側の均衡する複数箇所に取付け孔５４，５４，……を穿孔したものとし、受け枠体５１の真上となる２本の根太もしくは取り付け専用に設けられた２本の床下横架材１９，１９の上面に跨り配置させ、支持管部５６を、受け枠体５１下端保持リブ５２の鉛直上方に同心状の配置とするよう対応させ、各取付け孔５４，５４，……に木ネジ７，７を装着して強固に固着したものとしてから、床材１３を張り付け、該支持管部５６が床面１２を貫通してその上端開口を、保管室１内に露出状とするよう取り付けたものとしており、支持管部５６の高さ寸法は、床面１２上にカーペット１４等を敷設した際に、開口端面が面一状となるよう、予め寸法設定されたものとするのが望ましく、堅牢筐体を保管室１内に格納するまでの期間に渡り、支持管部５６には、図２中に一点鎖線で示した、保護施蓋用の円柱部品５７を、一時的に仮装着したものとして置く。
【００２５】
床面１２の鉛直上方に対応する天井面１５には、略矩形フランジ状に形成され、中央にボルト装着孔６１を穿孔し、その周囲に直径約４９ｍｍ前後、肉厚２ｍｍの短尺円筒状の上端保持リブ６２を下向き突設し、その外周側には複数の取付け孔６３，６３，……を均衡配置となるよう上下方向に穿孔した天井金具６が配されており、天井板１６を張り付ける前段階において、梁や野縁、天井下地、根太もしくは取り付け専用に設けられた木製横架材１９の下面に穿設した下穴に、天井金具６のボルト装着孔６１を貫通した、呼び径１３ｍｍ前後、長さ５０ｍｍのコーチボルト８を螺着させ、さらに、周囲の取付け孔６３，６３，……に木ネジ７，７，……を装着して堅固に結合させたものとしてから、天井板１６を張り付けしたものとする。
【００２６】
このように床面１２と天井面１５とに配された床面金具５および天井金具６との間には、外径約４３ｍｍ、肉厚５ｍｍであって床面金具５の支持管部５６上端面から天井金具６上端保持リブ６２の上下端間に至る長さ寸法に設定されたステンレス鋼管製の外装パイプ４１、および直径３０ｍｍに設定され、外装パイプ４１よりもコーチボルト８の頭部に相当する寸法分程度、短い長さ寸法に設定された鋼棒製の内落し丸棒４２を、摺動挿脱自在とするよう同心遊嵌状に組み合わせたものを、保管室１内に堅牢筐体を格納した後に組み込むものとなっており、その際には、図２中に示すように、円柱部品５７を床面金具５支持管部５６から取り外し、同図中に二点鎖線で示すように、内落し丸棒４２を組み合せた外装パイプ４１の上端を、白抜き矢印のように操作し、天井金具６の上端保持リブ６２に嵌合状としてから同外装パイプ４１の下端を、床面金具５支持管部５６の上端面に一致させ、内落し丸棒４２の下端が、受け枠体５１の下端保持リブ５２に嵌合状となるよう自然落下させて離脱不能に、組み込んだものとする。
【００２７】
こうして組み込まれた通過制限棒４は、図１中に示すように、開閉扉２のヒンジ２１，２１，２１が設けられたのとは反対側となる建具枠２２との距離Ｗを、図示しない堅牢筐体の外径各部寸法の何れよりも小さい約５００ｍｍに設定するものとなる。
また、通過制限棒４は、図４の金庫等の盗難防止構造における変形例の平面図に示すように、矩形断面形状のものとすることができ、さらに、該通過制限棒４に連続し、出入り口１１の通過方向に略平行となる障害壁面９を、連続形成したものとすることができる外、出入り口１１の通過制限棒４と、ヒンジ２１，２１，２１が配された建具枠２２との間の隙間を隠蔽状とする隠蔽壁板９１を添設したものとすることができる。
そしてさらに、保管室１内の開閉扉２近傍となる壁面等の適所には、管理者または警備保障会社等に自動的に報知可能とするか、あるいは非常ベルが連動するものとした図示しないドアショックセンサーや赤外線センサー等を配したものとする。
【００２８】
（実施例の作用）
以上のとおりの構成からなるこの発明の金庫等の盗難防止構造は、管理者が防犯施錠機構３の全てを施錠状態とし、図示しないドアショックセンサーを作動状態にしておくことによって以下のような防犯が可能となる。
保管室１内に格納された堅牢筐体を狙って不審者が、侵入しようとした場合に、図３中に示したように、開閉扉２に設けられたシリンダー錠３１、上側補助錠３２および下側補助錠３３からなる防犯施錠機構３は、ピッキングによる解錠に長時間を要するものであり、短時間の中に解錠するには、サムターン回しを行わなければならないが、頑丈な開閉扉２を避けて建具枠２２近傍の外壁面に電動工具等を用いて穿孔しようとしても、補強鋼板２９がこれを阻み、穿孔までに長時間を要してしまい、しかも補強鋼板２９に一個めの孔を開けたとしても、上側補助錠３２および下側補助錠３３についても同様の穿孔作業が必要となり、５分程度の時間で全ての錠をサムターン回しによって解錠することは略不可能なものである。
【００２９】
そこで、窃盗犯が、図１および図３中に示すように、建具枠２２と開閉扉２との間から保管室１外側に突出しているヒンジ２１，２１，２１をベビーサンダーやガス熔断等によって破壊し、侵入しようとした場合には、閉鎖状態にある開閉扉２の各係止穴２６，２６，……に、夫々嵌合状となっている建具枠２２の各係止凸部２７，２７，……が、ヒンジ２１，２１，２１に代わり、開閉扉２を支持するものとなって開閉扉２が、建具枠２２から離脱、解放されてしまうことを阻止するものとなる。
【００３０】
さらに犯行者が、開閉扉２遊端側と、これに接合している建具枠２２との隙間にバール等を挿入して開閉扉２を破壊しようとした場合には、開閉扉２外装板２４の延長された周端縁２５が、図１中に示すように、対応する建具枠２２に重なり合う状態に閉鎖されているので、梃の原理を利用して開閉扉２を破壊することは略不可能なものとなっている。そして、開閉扉２からの侵入を断念した窃盗犯が、保管室１の外壁面を破壊して侵入を図ろうとすると、壁面中には柵状に縦設された図示しない複数本の補強棒や、あるいは図５中に示すように、エキスパンダメタル１８が張設されているので、簡単には壁面を破壊できず、侵入するまでに相当の時間を労することとなる。
【００３１】
このように幾重にも張り巡らされた盗難防止構造に阻まれながら、何とか保管室１内に侵入を果たした実行犯が、床面１２に頑強に固着された堅牢筐体の連結ボルト部分を破壊して搬出しようという場面に至り、防犯施錠機構３の全てが室内側から解錠され、もしくは破壊によって開閉扉２が解放された出入り口１１を通じて搬出しようとした場合には、図１中に示すように建具枠２２と、通過制限棒４とにより、間口寸法Ｗが５００ｍｍに減縮されているので、堅牢筐体を横転、傾斜させる等何れの姿勢に変えたとしても、通過制限棒４が障害となって搬出することができず、しかも通過制限棒４の外観上、ボルトやネジ等の露出が全く無く、何処に連結構造が存在するのかが判明しないので実行犯は、止むを得ず電動工具や金鋸等を用いて通過制限棒４を切断するか、大型ハンマー等による打撃によって間口を広げる方向に大きく変形させようとすることになる。
通過制限棒４による堅牢筐体の搬出抑止は、図４中に示したように、障害壁面９や隠蔽壁板９１を追加、設置することによってさらに、高められるものとなり、これらを悉く破壊、変形させて堅牢筐体を搬出するには、相当の時間を要するものとなることは実行犯にも、一見して容易に判断できるものである。
【００３２】
出入り口１１からの搬出を諦めた窃盗犯が、保管室１の壁面を破って堅牢筐体を搬出可能な程度に十分に大きな開口を形成しようとすると、壁面肉厚中に柵状に立設された図示しない複数本の補強棒や、図５中に示すように、壁面中に張設されたエキスパンダメタル１８が、穿孔作業を妨げて思うような孔の拡大を阻害するものとなり、また、外部に面した壁面中の床面１２から高さ位置Ｈの箇所に横架された補強棒１７が、重量の嵩む堅牢筐体を、該補強棒１７よりも上に持ち上げなければ、搬出できないように制限し、搬出を妨げるものとなる。
【００３３】
（実施例の効果）
以上のような構成からなる実施例の金庫等の盗難防止構造は、前記この発明の効果の項で記載の特徴に加え、図１中に示したように、開閉扉２の外装板２４の周縁端２５を、建具枠２２の外側面に重なり合うよう拡大、形成したことにより、バール等を建具枠２２と開閉扉２との間に挿し入れて梃の原理を利用して開閉扉２を変形させるといった破壊行為を未然に防ぐことができるものとなり、縦具枠２２のヒンジ２１，２１，２１が取着された内側面の上下複数箇所に、係止凸部２７，２７，……を突設し、開閉扉２のヒンジ２１，２１，２１が連結された端縁面に、閉鎖した際に各係止凸部２７，２７，……に遊嵌する係止穴２６，２６，……を開口したことにより、通常時には開閉扉２を支障無く円滑に開閉操作することができる共に、閉鎖施錠状態にある開閉扉２のヒンジ２１，２１，２１が、犯罪者によって全て破壊された場合にも、各係止穴２６，２６，……に嵌合状となった係止凸部２７，２７，……が、ヒンジ２１，２１，２１に代わって開閉扉２を建具枠２２に保持、固定状とするものとなり、窃盗犯に、この開閉扉２は容易に破壊できないという認識を与えることができるものとなる。
【００３４】
また、図３や図５中に示したように、開閉扉２の防犯施錠機構３が設けられた側に近接するよう壁面肉厚中に配した補強板２８により、壁面への穿孔や破壊が阻まれ、サムターン回しの実行を阻止することができ、さらに、外部に面する壁面肉厚中に、堅牢筐体の外形各部寸法の何れよりも小さな間隔で柵状に立設された複数本の補強棒や、堅牢筐体の外形各部寸法の何れよりも小さな高さ位置に横設した補強棒、および、外壁面の略全体に張着されたエキスパンダメタル１８等により、保管室１壁面の破壊を阻害し、格納されている堅牢筐体の搬出に多大な時間を要するものとすることができ、犯行の開始直後に作動した図示しないドアショックセンサーや赤外線センサー等の報知を受けた管理者による通報で駆けつけた警察官や、異常を感知した警備会社から出動した警備員によって窃盗犯を取り押さえることができるものとなり、あるいは予想異常の時間経過に、怖れを抱いた犯人が未遂のまま逃走するよう、追い込むことができるという利点を得られることになる。
【００３５】
（結  び）
叙述の如く、この発明の金庫等の盗難防止構造は、その新規な構成によって所期の目的を遍く達成可能とするものであり、従前からの、盗難防止用の小型金庫や盗難防止装置に比較して堅牢筐体自体に大幅な構造変更を加えることなく、出入り口付近に設けた通過制限棒と、保管室壁面や開閉扉に添設された各種防犯構造との組合せによって悉く堅牢筐体の搬出を阻止し、窃盗に要する時間を余計に浪するものとして警察や警備会社が到着するまでの時間を十分に確保できるものとし、犯行を未遂に終わらせることを実現化することができ、しかも、保管室への付加的部品の組み込みにより、簡便に製造および設置することができるので、経済的にも有利なことから、建築業界はもとより、宝くじ販売店やパチンコ店、大型家電販売店、スーパーマーケット等の店舗、事務所等の管理者、およびそれらの警備やパトールを担当する警備会社、警察署等においても高く評価され、今後窃盗犯罪による被害の拡大が懸念される各方面を含め広範に渡って利用、普及していくものになると予想される。                                                                                              
【図面の簡単な説明】
【００３６】
図面は、この発明の金庫等の盗難防止構造の技術的思想を具現化した代表的な幾つかの実施例を示すものである。
【図１】通過制限棒を設けた開閉扉を断面化して示す平面図である。
【図２】通過制限棒の設置構造を断面化して示す正面図である。
【図３】開閉扉の構造を示す正面図である。
【図４】一部構造に変更を加えた開閉扉を断面化して示す平面図である。
【図５】保管室の壁面肉厚内構造を示す正面図である。
【符号の説明】
【００３７】
１      保管室
１１    同  出入り口
１２    同  床面
１３    同  床材
１４    同  カーペット
１５    同  天井面
１６    同  天井板
１７    同  補強棒
１８    同  エキスパンダメタル
１９    同  横架材
２      開閉扉（開閉戸）
２１    同  ヒンジ
２２    同  建具枠
２３    同  ドアチェック
２４    同  外装板
２５    同  周縁端
２６    同  係止穴
２７    同  係止凸部
２８    同  補強金具
２９    同  補強鋼板
３      防犯施錠機構
３１    同  シリンダー錠
３２    同  上側補助錠
３３    同  下側補助錠
４      通過制限棒
４１    同  外パイプ
４２    同  内落し丸棒
５      床面金具
５１    同  受け枠体
５２    同  下端保持リブ
５３    同  分解孔
５４    同  取付け孔
５５    同  支持枠体
５６    同  支持管部
５７    同  円柱部品
６      天井金具
６１    同  ボルト装着孔
６２    同  上端保持リブ
６３    同  取付け孔
７      木ネジ
８      コーチボルト
９      障害壁面
９１    同  隠蔽壁板
Ｌ１      シリンダー錠と上側補助錠との間隔寸法
Ｌ２      開閉扉下端から下側補助錠までの距離寸法
Ｈ      床面から補強棒までの高さ
Ｗ      減縮された間口寸法                                                                  
【図１】
2005330708.tif 000003
【図２】
2005330708.tif 000004
【図３】
2005330708.tif 000005
【図４】
2005330708.tif 000006
【図５】
2005330708.tif 000007